(57)【特許請求の範囲】
【請求項１】
操作ハンドルを押して走行させながらブラシケース内部に設けた洗浄ブラシを回転させ、且つ、タンク内の洗浄水をポンプによって噴射ノズルよりこの洗浄ブラシ側に供給することによって床面をブラッシングし、ブラッシングによって発生した汚水をブロアーの吸引作用が及ぶスキージで回収するように構成した床面洗浄清掃機であって、
上記の操作ハンドルに上記のタンクを取付け、この操作ハンドルをブラシケースに対して床面方向に上下回動自在に取付けて、操作ハンドルを床面に対して水平状態に倒し回動した場合に、上記タンクを含む操作ハンドルの床面からの高さが上記ブラシケースの高さとほぼ等しくなるように構成すると共に、上記タンクの上端部に排気室と吸気室を連設して、これ等排気室と吸気室の一側面で、且つ、操作ハンドルを床面に対して水平状態に倒し回動した時に、排気室と吸気室の各上側面と成る部分に、ブロアーの吸引作用が及ぶ排気口と洗浄汚水を吸込むための吸気口を開口形成したことを特徴とする床面洗浄清掃機。
【請求項２】
操作ハンドルを押して走行させながらブラシケース内部に設けた洗浄ブラシを回転させ、且つ、タンク内の洗浄水をポンプによって噴射ノズルよりこの洗浄ブラシ側に供給することによって床面をブラッシングし、ブラッシングによって発生した汚水をブロアーの吸引作用が及ぶスキージで回収するように構成した床面洗浄清掃機であって、
ブラシケースの底面部に洗浄ブラシの前後と両側を可撓性のスキージブレードで囲ったスキージ室を構成する一方、スキージ室の内部で、且つ、洗浄ブラシの前方部に、前記噴射ノズルから洗浄ブラシに向けて噴射される洗浄水を、洗浄ブラシの接線回転方向にガイドするガイド部を設けると共に、スキージ室の内部で、且つ、洗浄ブラシの後方部には、ブロアーの吸引作用が及ぶ洗浄汚水の吸引口を開口したことを特徴とする床面洗浄清掃機。
【請求項３】
噴射ノズルと洗浄ブラシの間に、噴射ノズルから噴射される洗浄水を洗浄ブラシの軸線方向に分散し、且つ、この分散した洗浄水を洗浄ブラシの接線回転方向に向けて供給することができる可撓性のガイド板を設けたことを特徴とする請求項２に記載の床面洗浄清掃機。
【請求項４】
ブラシケースの前部下端部分に、洗浄水の噴射ノズルに連通する多数の溝を洗浄ブラシの全長に渡って対向させた状態で間隔的に、且つ、上向きに凹設すると共に、この下端部分には上記の各溝を下側から覆うように可撓性のガイド板を取付けて、これ等各溝とガイド板とによって噴射ノズルから噴射される洗浄水を、洗浄ブラシに対してその軸線方向に均等に分散させて噴射するように構成したことを特徴とする請求項２又は３に記載の床面洗浄清掃機。
【請求項５】
洗浄ブラシの後方部に、ブロアーの吸引作用が及ぶ吸引口を開口した吸引室を設けて、この吸引室の断面積をスキージ室側から送り込まれて来る洗浄汚水の通過体積とほぼ同じになるように構成したことを特徴とする請求項２、３又は４に記載の床面洗浄清掃機。
【請求項６】
ブラシケースの前面下側部に可撓性材料で造ったスキージホルダー取付け、このスキージホルダーの内側には、スキージブレードの上側取付部に設けた突起部を嵌込んだ状態に挟持でき、且つ、この挟持力に抗して上記スキージの突起部を自由に取外すことができるスキージホルダー部を設けたことを特徴とする請求項２、３、４又は５に記載の床面洗浄清掃機。
【請求項７】
スキージホルダーの内側に設けたスキージホルダー部に、挟持したスキージの突起部に形成されている被係合部に係合して左右へのずれを防止することができる係合部を設けたことを特徴とする請求項６に記載の床面洗浄清掃機。
【発明の詳細な説明】
【０００１】
【発明の属する技術分野】
本発明は、床面をロール状の洗浄ブラシを回転して洗浄することができる床面洗浄清掃機に関するものであって、具体的には、机の下のような狭い場所の床面であっても、これを簡単に、且つ、確実に洗浄できるように工夫した床面洗浄清掃機に関するものである。
【０００２】
【従来の技術】
従来より使用されているアップライト型床面洗浄清掃機には、例えば特開昭６２−２５３０２０号公報等に開示されているように、洗浄水のタンクをブラシケースの上側部に設けたものと、例えば特開昭５８−２０９３２９号公報や特許第２６５０８５１号公報等に見られるように、洗浄水のタンクを操作ハンドルに取付けたものとが存在し、上記１番目の公報に記載されている「床清浄機」は、タンクに収容した洗浄水を下側のブラシ側に落下させながら床面をブラッシングし、ブラッシングによって発生した洗浄汚水を上記のタンクに回収し、これをネットを通過させることによってゴミを分離して、再び洗浄水として循環使用するように構成されている。
【０００３】
また、上記２番目の公報に記載されている「じゅうたんなどの洗浄装置」は、使用中に洗浄装置を倒したりしても、操作ハンドルに取付けたタンクから洗浄液が外部に流出しないように工夫されており、更に、上記３番目の公報には、操作ハンドルに洗浄水タンクと回収汚水タンクの２つのタンクを備えた電気掃除機が記載されている。
【０００４】
【発明が解決しようとする課題】
ところが、上記１番目の公報に記載されている「床面清浄機」は、洗浄水を入れるタンクがブラシケースの上に設けられているため、ブラシ部全体の床面からの高さが高くなってしまって、机の下や作業台の下のように上下の高さが低い場所を洗浄する場合には、ブラシが入らなくて洗浄できなくなる不都合があり、また、上記２番目の公報に記載されている「じゅうたんなどの洗浄装置」は、じゅうたん面にノズルから洗浄液を勢い良く噴射して洗浄するものであって、洗浄ブラシを回転しながら床面を洗浄する床面洗浄機とは趣きが相違し、これをそのまま床面洗浄機として用いた場合には、床面を充分に洗浄できない問題がある。
【０００５】
また、上記３番目の公報に記載されている「電気掃除機」は、操作ハンドルに洗浄水の貯水槽と汚染水貯蔵タンクの２つのタンクに加えて、ヒータや蒸気発生装置、或は、水供給装置と言った各種の装置類が多数取付けられているため、全体が大型化して重量が重くなってしまって、机の下の様な狭い場所での洗浄が非常にやりにくくなる問題があった。
【０００６】
従って本発明の技術的課題は、洗浄ブラシを収めたブラシケースの嵩を出来るだけ低く造って、机や棚の下のような上面側に充分なスペースが存在しない床面に対する洗浄を支障無く行うことができると共に、洗浄水をブラシケースの外に漏らすことなく洗浄ブラシの全長に渡って均一に供給することができ、また、洗浄及び吸水部分の構成を比較的簡単に且つ低コストにて造ることができるように工夫した床面洗浄清掃機を提供することである。
【０００７】
【課題を解決するための手段】
上記の技術的課題を解決するために本発明で講じた手段は以下の如くである。
【０００８】
操作ハンドルを押して走行させながらブラシケース内部に設けた洗浄ブラシを回転させ、且つ、タンク内の洗浄水をポンプによって噴射ノズルよりこの洗浄ブラシ側に供給することによって床面をブラッシングし、ブラッシングによって発生した汚水をブロアーの吸引作用が及ぶスキージで回収するように構成した床面洗浄清掃機であって、
【０００９】
（１）  上記の操作ハンドルに上記のタンクを取付け、この操作ハンドルをブラシケースに対して床面方向に上下回動自在に取付けて、操作ハンドルを床面に対して水平状態に倒し回動した場合に、上記タンクを含む操作ハンドルの床面からの高さが上記ブラシケースの高さとほぼ等しくなるように構成すると共に、上記タンクの上端部に排気室と吸気室を連設して、これ等排気室と吸気室の一側面で、且つ、操作ハンドルを床面に対して水平状態に倒し回動した時に、排気室と吸気室の各上側面と成る部分に、ブロアーの吸引作用が及ぶ排気口と洗浄汚水を吸込むための吸気口を開口形成すること。（請求項１）
【００１０】
（２）  ブラシケースの底面部に洗浄ブラシの前後と両側を可撓性のスキージブレードで囲ったスキージ室を構成する一方、スキージ室の内部で、且つ、洗浄ブラシの前方部に、前記噴射ノズルから洗浄ブラシに向けて噴射される洗浄水を、洗浄ブラシの接線回転方向にガイドするガイド部を設けると共に、スキージ室の内部で、且つ、洗浄ブラシの後方部には、ブロアーの吸引作用が及ぶ洗浄汚水の吸引口を開口するように構成すること。（請求項２）
【００１１】
（３）  噴射ノズルと洗浄ブラシの間に、噴射ノズルから噴射される洗浄水を洗浄ブラシの軸線方向に分散し、且つ、この分散した洗浄水を洗浄ブラシの接線回転方向に向けて供給することができる可撓性のガイド板を設けること。（請求項３）
【００１２】
（４）  ブラシケースの前部下端部分に、洗浄水の噴射ノズルに連通する多数の溝を洗浄ブラシの全長に渡って対向させた状態で間隔的に、且つ、上向きに凹設すると共に、この下端部分には上記の各溝を下側から覆うように可撓性のガイド板を取付けて、これ等各溝とガイド板とによって噴射ノズルから噴射される洗浄水を、洗浄ブラシに対してその軸線方向に均等に分散させて噴射するように構成すること。（請求項４）
【００１３】
（５）  洗浄ブラシの後方部に、ブロアーの吸引作用が及ぶ吸引口を開口した吸引室を設けて、この吸引室の断面積をスキージ室側から送り込まれて来る洗浄汚水の通過体積とほぼ同じになるように構成すること。（請求項５）
【００１４】
（６）  ブラシケースの前面下側部に可撓性材料で造ったスキージホルダー取付け、このスキージホルダーの内側には、スキージブレードの上側取付部に設けた突起部を嵌込んだ状態に挟持でき、且つ、この挟持力に抗して上記スキージの突起部を自由に取外すことができるスキージホルダー部を設けること。（請求項６）
【００１５】
（７）  スキージホルダーの内側に設けたスキージホルダー部に、挟持したスキージの突起部に形成されている被係合部に係合して左右へのずれを防止することができる係合部を設けること。（請求項７）
【００１６】
上記（１）で述べた請求項１に係る手段によれば、操作ハンドルをブラシケースの高さと等しいか、又は、それよりも低い状態に回動できると共に、洗浄ブラシを取付けたブラシカバー側には余分な構成が設けられていないため、床面からの高さが低くなって机等の下側のように狭くて操作がやりずらい場所にもブラシカバーの部分を簡単に挿入でき、而かも、操作ハンドルを上述したように低い状態、即ち、床面に近い水平状態に倒し回動することができるから、上記机の下側のような狭い場所でも極めて簡単に、且つ、確実に洗浄することを可能にする。
【００１７】
更に、上記（１）で述べた請求項１に係る手段によれば、操作ハンドルを直立状態にした場合は、この操作ハンドルに取付けられているタンクの上端部に連設した排気室と吸気室の排気口及び吸気口を、夫々タンクの上側部において横を向いた状態に位置させ、また、この操作ハンドルを床面側に水平状態に倒し回動した場合は、上記排気室と吸気室の排気口及び吸気口は、いずれも床面に対して上方を向くように構成されているため、タンク内の洗浄水（循環水）がこれ等排気口及び吸気口から外部に流出するようなことがなく、従って、操作ハンドルを底面側に水平に倒し回動しても洗浄水が外部に流出する心配がないから、奥行きが深くて背丈が低い狭い場所であっても、洗浄水をこぼすことなく洗浄ブラシをこの狭い場所に奥深く挿入して、容易に床面を洗浄することを可能にする。
【００１８】
上記（２）で述べた請求項２に係る手段によれば、洗浄水を洗浄ブラシの回転方向に向けて噴射する一方、この洗浄ブラシをスキージブレードで囲ったスキージ室内で回転するため、洗浄水及び洗浄後の汚水を外部に飛散及び漏出させることなく床面をきれいに洗浄することができる。また、洗浄後の汚水は、スキージ室の内部で、且つ、洗浄ブラシの後方部に設けた吸引口にブロアーの吸引作用を受けて吸引されるため、汚水を効率良く吸引して、優れた洗浄効果を発揮できると共に、洗浄水は常に噴射ノズルから洗浄ブラシの接線回転方向に噴射されて、洗浄ブラシが回転して来る方向、つまり、回転方向に対向する方向に噴射されて飛び散ることがなく、而かも、洗浄が行われると直ちに吸引口に吸引されるため、洗浄水及び洗浄汚水が洗浄ブラシの前方部に逆流することがないから、床面をきれいに洗浄することを可能にする。
【００１９】
更に上記（２）で述べた手段によれば、洗浄ブラシに向けて噴射されてブラシに直接掛った洗浄水は、洗浄ブラシの回転に従ってその接線方向に飛ばされるが、その際に、ガイド部によって飛散方向が洗浄ブラシの方向に向けられて他の洗浄水と合流し、洗浄ブラシに吸収されるため、洗浄水が床面に強く叩き付けられて反射することがなく、従って、外部に飛び散ってスキージブレードで囲ったスキージ室の外に洗浄水が漏れることがないから、床面をきれいに洗浄することを可能にする。
【００２０】
加えて上記（２）で述べた手段によれば、洗浄清掃機を前進又は後進させたいずれの場合であっても、洗浄水或は洗浄汚水がスキージブレードで囲ったスキージ室の外に漏れ出す心配がなく、特に後進の場合は、前側に吸引口がないにも係わらず、ガイド部の働きによって汚水を後方にのみ掻き出すため、汚水がスキージ室の外に漏れ出すことを防止することができる。また、ブラシケースの前部に吸引管等の如き余分な部材を設ける必要がないため、ブラシケースの全体を低い姿勢に形成して、背の低い棚の下や机の下等の床面を支障無く洗浄することができると共に、当然、部品数も少くすることができるため、比較的安いコストで造ることを可能にする。
【００２１】
上記（３）で述べた請求項３に係る手段によれば、噴射ノズルから噴射される洗浄水を可撓性のガイド板を用いて洗浄ブラシに対してその回転方向に向けて供給するため、洗浄水をスキージ室の外に流出させたり残したりすることなく洗浄ブラシに対して確実に供給することができると共に、上記可撓性のガイド板は噴射ノズルから噴射される洗浄水を、洗浄ブラシの軸線方向、即ち、長手方向に分散して供給するため、洗浄ブラシの全長に渡って洗浄水が均一に供給されて、洗浄効果を高めることを可能にする。
【００２２】
上記（４）で述べた請求項４に係る手段によれば、噴射ノズルから噴射される洗浄水を、ブラシケースの前部下端部に設けた複数の溝と、これ等の溝を下から覆うように設けた可撓性ガイド板との間を通して洗浄水を洗浄ブラシに向けて噴射するため、洗浄水を洗浄ブラシの長さ全体に渡って均一に噴射させることができるものであって、床面を均一な状態にきれいに洗浄することを可能にする。
【００２３】
上記（５）で述べた請求項５に係る手段によれば、吸引室の断面積と汚水の通過体積をほぼ同じにすることにより、余分な空気が吸引室側に吸引されて洗浄汚水と混じり合うことを極力抑えることができるため、この混じり合いによる泡の発生を出来るだけ少くして、ブロアーによる洗浄汚水の吸引を極めて円滑に行うことを可能にする。
【００２４】
上記（６）で述べた請求項６に係る手段によれば、スキージホルダーに対してスキージブレードを取り外し自在に構成しているため、スキージブレードの交換や各種メンテナンスを容易に行うことができ、また、このスキージホルダーは可撓性材料で造られていて、それ自体バンパーの役目を発揮するため、ブラシケースの部分を壁面等に衝突させても壁面等を傷めることがなく、安心して洗浄作業を行うことができるものであって、特に、机の下の狭い空間のように前方が良く見えない場所を洗浄する場合に有効である。
【００２５】
上記（７）で述べた請求項７に係る手段によれば、スキージホルダーに挟持したスキージブレードの横ずれを、係合部と被係合部の係合によって確実に防止して、洗浄作業の能率を落すことなく円滑に進めることを可能にする。
【００２６】
以上の如くであるから、上記（１）〜（７）の手段によって上述した技術的課題を解決して、前記従来の技術の問題点を解消することができる。
【００２７】
【発明の実施の形態】
以下に、本発明に係る床面洗浄清掃機の実施の形態を図面と共に説明すると、図１は本発明の全体の構成を説明した側面図であって、図中、符号ＡＰで全体的に示したのは全体をアップライト型に構成した本発明に係る床面洗浄清掃機で、１は操作ハンドル、２はこの操作ハンドル１に取付けたケース体、１１はモータ１４Ｍによって駆動回転される洗浄ブラシ１４を収めたブラシケース、１１′はブラシケース１１の上に設けたバッテリーケース、１２はブラシケース１１の後部に取付けた走行用の車輪、１０は上記ケース体２を含む操作ハンドル１の全体をブラシケース１１に取付ける支持脚、１０Ｔはその取付け用ビスで、ケース体２を含む操作ハンドル１の全体は、下端の取付軸１０Ｘを支点にして、図示したようにブラシケース１１に対して床面Ｆの方向に上下回動自在に構成されている。
【００２８】
図２は本発明に係る床面洗浄清掃機の正断面図、図３の（イ）図はその側断面図、（ロ）図は操作ハンドル１から取り外したケース体２の背面図、（ハ）図はケース体２から取り外した洗浄水タンク３の背面図で、これ等の図面に於いて、４は上記ケース体２の内部２Ｈに取付けたブロアー、４Ｍはそのモータ、９は同じくケース体２の内部２Ｈに取付けたポンプで、９Ａは上記洗浄水タンク３内から洗浄水ＤＷをポンプ９内に取り込む吸水パイプ、９Ｂは取り込んだ洗浄水ＤＷを上記洗浄ブラシ１４側に送る送水パイプであって、上記の洗浄水タンク３は上記ケース体２に設けた嵌込穴２Ｘの内部に対して脱着自在に構成されている。
【００２９】
また、７は上記洗浄水タンク３内に収めた汚水濾過用のフイルター、７Ｐはこのフイルター７によって濾過された洗浄水を取り出す吸引パイプ、８は洗浄水タンク３の上面部に導出した吸引パイプ７Ｐの先端部に取付けた接続バルブで、この接続バルブ８には上述したポンプ９に設けた吸水パイプ９Ａの先端部が脱着自在に接続されていて、ポンプ９の運転に従って洗浄水タンク３内の洗浄水ＤＷをフイルター７で濾過しながら汲み上げ、次いで、この汲み上げた濾過済みの洗浄水ＤＷを順次送水パイプ９Ｂを通して洗浄ブラシ１４側に送水する仕組に成っている。
【００３０】
図４は上記ブロアー４の部分の構成を明らかにするべく当該部分を拡大して示した一部断面構成図、図５はそのＷ−Ｗ線に沿った断面図であって、これ等の図面並びに上述した図２と図３に於いて、５と６は上記タンク３の上面部、具体的には、タンク３の上端口に装着したキャップ体３′の上面部に連設した排気室と吸気室、５Ａは排気室５の側面に開口した排気口、６Ａは同じく吸気室６の側面に開口した吸気口であって、これ等の排気口５Ａと吸気口６Ａは、操作ハンドル１を床面Ｆに対して立てた状態に回動した時は、タンク３の上側部にて横を向き、また、操作ハンドル１を床面Ｆに対して水平状態に倒し回動した時には、床面Ｆに対して上方を向いた状態に成るように、排気室５と吸気室６の一側面で、且つ、操作ハンドル１を床面Ｆに対して水平状態に倒し回動した時に、排気室５と吸気室６の上側面と成る部分に開口形成されている。
【００３１】
また、４Ａは上記ブロアー４の吸引作用（排気作用）を上記の排気口５Ａから排気室５を通してタンク３の内部に及ぼすガイド壁で、この様に排気室５を通してタンク３内に及ぶ吸引作用は、上記吸気室６から吸気口６Ａを通って図４に示した接続パイプ６Ｎ、及び、吸引パイプ６Ｐに及んで、上記洗浄ブラシ１４で洗浄した後の汚水をタンク３に吸引する仕組に成っている。
【００３２】
更に図中、３Ａと３Ｂは上記排気室５と吸気室６の下側に夫々連通接続した状態で、且つ、上記タンク３の天井部よりその内部に向けて垂設した排気筒と吸引筒で、排気筒３Ａは図示の如く略籠状、又は、前面に金網をインサート形成した状態に造られていて、内部にはタンク３内の汚水又は泡の水位が上昇すると、これ等水又は泡に押されて上昇し、更に、上記ブロアー４の吸引作用を受けて図５の仮想線に示すように上記排気口５Ａを塞ぐことができるフロート３Ｒが収められており、また、吸引筒３Ｂには吸引した汚水の通過を可能とする通気穴３Ｘが設けられている。
【００３３】
また、図１と図３の（イ）図、並びに、図６乃至図１０に於いて、夫々符号１３で示したのは、上述した走行車輪１２の車軸１２Ａに上下回動自在に取付けたフットペダルで、このペダル１３はバネ１３Ｓの弾発力によってその係止縁１３Ａを上述した支持脚１０の下端部に形成したいずれかの係止爪１０Ａ，１０Ｂに弾性的に係合して、ケース体２を取付けた操作ハンドル１を図１に示した直立状態と中間の傾斜状態のいずれかに係止（支持）できる仕組に成っている。
【００３４】
即ち、図６と図７に示した拡大断面図に於いて、１０Ａは操作ハンドル１を直立した状態に支持するための第１係止爪、１０Ｂは操作ハンドル１を図６に示した中間の傾斜状態（洗浄運転時の状態）に支持するための第２係止爪で、作業を行わない保管時には図１の実線並びに図３の（イ）図に示すように操作ハンドル１を直立状態に支持し、また、作業運転時には図６に示すように操作ハンドル１を中間の傾斜状態、具体的には、通常の作業時の角度よりも若干床面Ｆ側に低い位置に支持する仕組に成っているが、例えば、机の下の様な狭い空間を洗浄する場合は、フットペダル１３を踏んで係止縁１３Ａを係止爪１０Ａから外してフリーな状態にすることにより、図１の仮想線並びに図７に示すように操作ハンドル１を床面側に水平に倒し回動して、ブラシケース１１を狭い空間に侵入させて洗浄できるように構成されている。
【００３５】
また、上記の如く操作ハンドル１を水平状態に倒し回動した場合には、タンク３を収めたケース体２を含む操作ハンドル１の床面Ｆからの高さが、バッテリーケース１１′を含む上記ブラシケース１１の高さとほぼ同じ高さに成るように構成されていて、上記机の下の様な狭い空間内にもブラシケース１１を容易に、且つ、円滑に差込んでブラッシング洗浄できる仕組に成っている。
【００３６】
次に、上記ブラシケース１１の内部構造を図２と図３の（イ）図、並びに、図６乃至図１０の記載に従って説明すると、図中、１４Ｖはモータ１４Ｍの回転を洗浄ブラシ１４に伝達する駆動ベルトで、１４Ｐはこのベルト１４Ｖを掛け渡したプーリ、１５と１６はブラシケース１１の前部と後部の底面に取付けたゴム製の前後のスキージブレード、２８，２８はブラシケース１１の底面の両側に取付けたゴム製の側部スキージブレードで、夫々下端部を床面Ｆに接するこれ等前後と両側の計４枚のスキージブレード１５，１６，２８，２８によって、ブラシケース１１の底面に洗浄ブラシ１４の前後と両側の四方を囲ったスキージ室２０Ｈが構成されている。
【００３７】
また、図３の（イ）図と図６乃至図１０に於いて、夫々符号９ＢＸで示したのは上述した送水パイプ９Ｂの先端に接続した噴射パイプで、この噴射パイプ９ＢＸは図示したようにブラシケース１１とブラシカバー２０の間隔内に配管され、且つ、その先端側を図８に示すように二又に分岐して、各先端口９Ｅを図１０並びにそのＺ視部分を拡大して示した図１１の記載から明らかなように、上記ブラシカバー２０の前部に連設した連設部２１に上向きに突設したノズル管２１Ｐに嵌込んで、上記噴射パイプ９ＢＸを通して送られて来る洗浄水を、ノズル管２１Ｐ内のノズル２１Ｓを通して下向きに噴射するように構成されている。
【００３８】
更に図中、２２はホルダー２３を用いて上記ノズル２１Ｓの口を下から覆うように上記連設部２１の底面に取付けた可撓性のガイド板であって、全体を可撓性のゴム材で造ったこのガイド板２２は、全長を上記洗浄ブラシ１４と略同じ長さに形成されていて、その先端側を図１０並びに図１１に於いて時計回転方向に回転する洗浄ブラシ１４の前部側から、斜め下側周面に接するように突出し、且つ、上記連設部２１の底面には、上記ノズル２１Ｓから噴射される洗浄水をガイド板２２の長さ方向にガイドするガイド溝２１Ａが上向きに凹設されている。
【００３９】
更に上記連設部２１の底面には、ガイド溝２１Ａと平行にガイド突条２１Ｂが下向きに突設され、且つ、このガイド突条２１Ｂには、図１０並びに図１１に示すようにガイド溝２１Ａに案内されてガイド板２２の上面をその長手方向に送られて来る洗浄水を、上記洗浄ブラシ１４の方向に送り出す多数の切り溝２２Ｘ…が形成されていて、ノズル２１Ｓから噴射される洗浄水を洗浄ブラシ１４の軸方向に対して均等に、而かも、洗浄ブラシ１４の接線回転方向に向けて噴射できる仕組に成っている。
【００４０】
更に図１０と図１１に於いて、１１Ｔは上記ブラシケース１１の前面に開口した挟持溝で、２４は根端部側をこの挟持溝１１Ｔに嵌込むことによってブラシケース１１の前面部をカバーするように取付けたゴム製のスキージホルダーで、このスキージホルダー２４には、前述した前側スキージブレード１５の上端部に形成した断面略三角形状の突起部１５Ａをその外側から挟持することができるように、同じく断面略三角形状に形成したスキージホルダー部２４Ａが突出形成されていて、ゴムで造ったこのスキージホルダー部２４Ａがブラシケース１１のバンパーとなって、その弾性によって洗浄時に壁面等に当っても傷つけない仕組に成っている。
【００４１】
以上の如く構成したスキージホルダー部２４Ａは、その弾性に抗してスキージブレード１５の突起部１５Ａを取外して自由にブレードの取外しや交換等を行えるように構成されており、更に、図１１に示すように上記ブラシケース１１の下側前面、又は、スキージホルダー部２４Ａの内側面に突設した係合突子２４Ｔを、上記突起部１５Ａに凹設した係合穴１５Ｂに係合することによって、スキージブレード１５の横移動（ズレ）を防止するように構成されている。
【００４２】
図９に示したブラシケース１１の底面図と、図１０に示したブラシケース１１の内部構造を拡大した断面図に於いて、符号３０で示したのは上述したスキージ室２０Ｈの後方部に設けた洗浄汚水の吸引室であって、この吸引室３０は上述した後部のスキージブレード１６と、このスキージブレード１６の内側に間隔をあけて平行に設けた可撓性の仕切板２７と、左右のスキージブレード２８，２８の後端部とによって四方を囲った状態に構成されていて、上記スキージ室２０Ｈとの間を仕切る上記可撓性の仕切板２７は、上記ブラシカバー２０の後部に連設した挟持部２６にその上端部が取付けられている。
【００４３】
また、６Ｈは上記ブラシケース１１の内部に挿入した上記吸引パイプ６Ｐの下端口を上端口６Ｘに接続する連結パイプで、この連結パイプ６Ｈの下端部に設けた吸引口６Ｅを上記吸引室３０に開口することによって、上述したブロアー４の吸引力をこの吸引室３０並びにスキージ室２０Ｈに及ぼして、スキージ室２０Ｈから吸引室３０に吸引した汚水を、吸引パイプ６Ｐを通して上述した吸引室６及び洗浄水タンク３に吸引回収するように構成されている。
【００４４】
更に図中、２６′は上記吸引室３０の断面積（容積量）を、上記スキージ室２０Ｈから仕切板２７に多数設けたスリット（図示省略）を通って侵入して来る汚水の通過体積とほぼ同じに成るように調節する（具体的には床面Ｆとの間隔を２〜４ｍｍに調節する）調節突部であって、この様に吸引室３０の断面積を汚水の通過体積とほぼ同じに調整することにより、この吸引室３０の部分で洗浄水（洗剤）と空気が混ざり合うことによる泡の発生を少くして、汚水の吸引効率を良好に維持する仕組に成っている。
【００４５】
尚、上述した各図に於いて１２Ｒは補助輪、また、図１０に於いて１１Ｓは後部スキージブレード１６の上端部に形成した突起部１６Ａを挟持するホルダーを示し、更に、図３の（ロ）図に於いて２Ｆは運転の積算時間等を表示する表示部、２５は各モータのヒューズソケット、２Ｔはケース体２に設けた把持部である。
【００４６】
本発明に係る床面洗浄清掃機は以上述べた如き構成であるから、床面Ｆの洗浄に当っては、先ず、ブロアー４とポンプ９を作動して洗浄水ＤＷを送水パイプ９Ｂ及び噴射パイプ９ＢＸを通してノズル２１Ｓよりガイド板２２に向けて噴射させることによって、モータ１４Ｍによって回転する洗浄ブラシ１４の回転方向に向けて供給して、床面Ｆをブラシ洗浄する。
【００４７】
これと同時に、ブロアー４を作動してその吸引作用を、洗浄水タンク３を経て吸引パイプ６Ｐからスキージ室２０Ｈの後方部に設けた吸引室３０に及ぼすことによって、洗浄ブラシ１４によるブラシ洗浄によってスキージ室２０Ｈ内に溜った洗浄汚水を順次洗浄水タンク３に吸引し、次いで、この吸引した洗浄汚水をフイルター７で濾過して再び洗浄水としてポンプ９が洗浄ブラシ１４側に送って循環使用する。
【００４８】
以上の如く構成した床面洗浄清掃機は、通常、図１の実線並びに図３の（イ）図に示した状態、即ち、操作ハンドル１をブラシケース１１に対して直立した状態で保管され、洗浄運転時には図１の仮想線に示すように操作ハンドル１を斜め約４５度に傾斜させた状態にするが、この角度の切換えは図６に示すようにフットペダル１３を踏んでその係止縁１３Ａを支持脚１０の係止爪１０Ａより解除して行う。
【００４９】
また、机の下の様に狭い空間の床面Ｆを洗浄する場合は、フットペダル１３を踏んで係止縁１３Ａを図７の如く係止爪１０Ｂより解除することにより、操作ハンドル１をフリーにして、ケース体２を含む操作ハンドル１を図１に於いて仮想線に示す如く床面Ｆに対して水平に倒し回動して行うが、この場合、操作ハンドル１の床面Ｆからの高さをバッテリーケース１１′を含むブラシケース１１の高さとほぼ等しくなるように構成しているため、上記の様な狭い空間の床面Ｆでもブラシケース１１を奥深く差込んで容易に洗浄することができる。
【００５０】
一方、洗浄運転中に図６に示すように前部スキージブレード１５の前に比較的大きなゴミＤＳが溜った場合には、図６の係止状態から操作ハンドル１を床面Ｆ側に少し押し下げれば、車輪１２をテコにして前部スキージブレード１５側を少し持ち上げることができるため、上記ゴミＤＳの取込みを容易に行うことができる。
【００５１】
更に本発明では、洗浄水タンク３の上端部に連設した排気室５と吸気室６に設けられている各排気口５Ａと吸気口６Ａのいずれもが、操作ハンドル１を水平状態に倒し回動した時には、床面Ｆに対して上方を向く様に構成されているため、洗浄水タンク３内の洗浄水ＤＷがこれ等排気口５Ａ及び吸気口６Ａから外部に漏出することがなく、また、洗浄ブラシ１４はその四方をスキージブレード１５，１６，２８，２８で囲ったスキージ室２０Ｈ内で回転するため、洗浄汚水を周囲に飛散させることもないので、床面を洗浄水や汚水で汚すことなくきれいに洗浄することができる。
【００５２】
加えて、本発明ではノズル２１Ｓから噴射される洗浄水を、ガイド突条２１Ｂに設けた多数の切り溝２２Ｘ…と、可撓性のガイド板２２とによって洗浄ブラシ１４の長手方向に対して均一に、而かも、洗浄ブラシ１４の接線回転方向に向けて給水するため、洗浄ブラシ１４の長手方向に渡って床面Ｆを均一に洗浄できると共に、上記スキージ室２０Ｈに溜った洗浄汚水は、吸引室３０を通して余分な空気を吸引することなく洗浄水タンク３側に円滑に吸引されるため、泡の発生を少くして洗浄汚水の吸引を効率良く行うことができる。
【００５３】
また、本発明ではブラシケース１１の前面部に設けたスキージホルダー２４に対して前側のスキージブレード１５を取外し自在に構成しているため、スキージブレード１５の交換やメンテナンス等を容易に行うことができると共に、このスキージホルダー２４自身がバンパーの役目を発揮するため、洗浄時にブラシケース１１が壁面等に衝突してもこれを破損したり傷つけたりする心配がなく、狭い空間でも安心して洗浄することができ、更に、スキージホルダー２４に保持されたスキージブレード１５は係合突子２４Ｔと係合穴１５Ｂの係合によって横移動（ズレ）が防止されているため、洗浄作業を支障無く進めることができる。
【００５４】
【発明の効果】
以上述べた次第で、本発明に係る床面洗浄清掃機によれば、洗浄汚水を濾過しながら循環利用して床面を洗浄できると共に、机の下の様な狭い空間にも洗浄ブラシを挿入して容易に、而かも、洗浄水や洗浄汚水を周囲にこぼしたり飛散させることなくきれいに洗浄することができるものであって、操作ハンドルの角度を自由に交換できるようにした点、洗浄水を洗浄ブラシの全長に渡って均一に給水して優れた洗浄効果を発揮できる点、余分な空気と洗浄汚水との混じり合いを極力抑えて、泡の発生を出来るだけ少くした点、並びに、全体の構成を簡略化して低コスト化を可能にした点と相俟って、特に、机やテーブル等が多数設置されている障害物の多い床面の洗浄に用いて洵に好適なものである。
【図面の簡単な説明】
【図１】本発明に係る床面洗浄清掃機の外観と操作ハンドルの回動状態を説明した側面図である。
【図２】本発明の正面側から見た断面図である。
【図３】（イ）図は本発明の全体を示した側断面図、（ロ）図はケース体の全体を示した背面図、（ハ）図はケース体から取外した洗浄水タンクの背面図である。
【図４】本発明の要部である洗浄水タンクの内部構造を拡大して示した正断面図である。
【図５】図４のＷ−Ｗ線に沿った断面図である。
【図６】操作ハンドルを斜めに回動した状態を説明した側面図である。
【図７】操作ハンドルを水平に回動した状態を説明した側面図である。
【図８】本発明の上カバーを外した状態の平面図である。
【図９】本発明の底面図である。
【図１０】本発明の要部を拡大して示した側断面図である。
【図１１】図１０のＺ視部分を拡大して示した断面図である。
【図１２】洗浄水を洗浄ブラシ側にガイドするガイド板の一部を示した平断面図である。
【符号の説明】
ＡＰ              床面洗浄清掃機
１                操作ハンドル
２                ケース体
３                洗浄水タンク
４                ブロアー
５                排気室
６                吸気室
５Ａ              排気口
６Ａ              吸気口
７                フイルター
９                ポンプ
１０              支持脚
１０Ａ，１０Ｂ，１０Ｃ        係止爪
１１              ブラシケース
１３              フットペダル
１３Ａ            係止縁
１４              洗浄ブラシ
１５，１６，２８              スキージブレード
１５Ｂ            係合穴
２０Ｈ            スキージ室
２１              連設部
２１Ａ            ガイド溝
２１Ｂ            ガイド突条
２１Ｓ            ノズル
２２              ガイド板
２２Ｘ            切り溝
２４              スキージホルダー
２４Ａ            スキージホルダー部
２４Ｔ            係合突子
２６′            調節突部
２７              仕切板
３０              吸引室
Ｆ                床面
【図１】
0003568837.tif 000002
【図２】
0003568837.tif 000003
【図３】
0003568837.tif 000004
【図４】
0003568837.tif 000005
【図５】
0003568837.tif 000006
【図６】
0003568837.tif 000007
【図７】
0003568837.tif 000008
【図８】
0003568837.tif 000009
【図９】
0003568837.tif 000010
【図１０】
0003568837.tif 000011
【図１１】
0003568837.tif 000012
【図１２】
0003568837.tif 000013